(57)【要約】【課題】入浴中の無駄な暖房を抑制して、且つ、浴室から出たときに人に寒い思いをさせることを防止できるようにした脱衣所暖房器の制御装置を提供する。【解決手段】リモコンに設けた入浴スイッチがオンされてから所定の待ち時間が経過したときに浴室に人が入ったと判別し(Ｓ２，Ｓ３，Ｓ１２，Ｓ１３)、この時点で入浴時間タイマＴＭ２をスタートすると共に(Ｓ５)、脱衣所暖房器を弱暖房運転に切換える(Ｓ６)。そして、リモコンで設定される入浴時間に基づいて決定される設定時間が経過して入浴時間タイマＴＭ２がタイムアップしたときに(Ｓ８)、脱衣所暖房器を通常の温調暖房運転に切換える(Ｓ１０)。浴室に人が入ったか否かの判別は、浴室ドアの開閉を検出するドアセンサや、浴室内の人の存在を検出する人センサを用いて行うようにしても良い。【選択図】図３
2006234224.tif 000002
【特許請求の範囲】
【請求項１】
浴室に隣接する脱衣所に温風を送風して脱衣所の暖房を行う脱衣所暖房器の制御装置であって、脱衣所暖房器用のリモコンに設けた暖房スイッチがオンされたときに、脱衣所の室温を設定温度に上昇させて維持する温調暖房運転を行うように脱衣所暖房器を制御するものにおいて、
浴室に人が入ったか否かを判別する判別手段と、
判別手段により浴室に人が入ったと判別された時点から所定の設定時間が経過するまでは、暖房スイッチがオンされていても脱衣所暖房器の運転を停止させ又は脱衣所を設定温度より低い温度で暖房する脱衣所暖房器の弱暖房運転を行わせ、前記設定時間が経過したときに、脱衣所暖房器の温調暖房運転を開始させる入浴時制御手段とを備えることを特徴とする脱衣所暖房器の制御装置。
【請求項２】
前記リモコンにより入浴時間を設定可能とし、この入浴時間に基づいて前記設定時間が決定されることを特徴とする請求項１記載の脱衣所暖房器の制御装置。
【請求項３】
前記リモコンに、前記判別手段用の操作スイッチが設けられ、前記判別手段はこの操作スイッチのオン操作に基づいて浴室に人が入ったと判別するように構成されていることを特徴とする請求項１または２記載の脱衣所暖房器の制御装置。
【請求項４】
前記判別手段は、前記操作スイッチがオンされた時点から所定の待ち時間が経過したところで浴室に人が入ったと判別するように構成されていることを特徴とする請求項３記載の脱衣所暖房器の制御装置。
【請求項５】
浴室ドアの開閉動作を検出するドアセンサ又は浴室内の人の存在を検出する人センサが設けられ、前記判別手段は、ドアセンサが浴室ドアの開閉動作を検出したとき又は人センサが人の存在を検出したときに浴室に人が入ったと判別するように構成されていることを特徴とする請求項１または２記載の脱衣所暖房器の制御装置。
【請求項６】
前記入浴時制御手段は、前記ドアセンサが一旦浴室ドアの開閉動作を検出した後に再び浴室ドアの開閉動作を検出したとき又は前記人センサが一旦人の存在を検出した後に人の存在を検出しなくなったときに、温風の送風量を低下させた状態で前記脱衣所暖房器の温調暖房運転を行わせるように構成されていることを特徴とする請求項５記載の脱衣所暖房器の制御装置。
【請求項７】
前記入浴時制御手段は、前記リモコンに設けられている前記脱衣所暖房器の暖房運転を指示するスイッチがオンされているときにのみ作動するように構成されていることを特徴とする請求項５又は６記載の脱衣所暖房器の制御装置。
【発明の詳細な説明】
【技術分野】
【０００１】
本発明は、浴室に隣接する脱衣所に温風を送風して脱衣所の暖房を行う脱衣所暖房器の制御装置に関する。
【背景技術】
【０００２】
この種の脱衣所暖房器は、脱衣所の壁面に取付けられる脱衣所暖房器用のリモコンに設けた暖房スイッチがオンされたときに、脱衣所の室温を設定温度に上昇させて維持する温調暖房運転を行うように制御される。尚、本明細書において「脱衣所」とは、洗面所を兼用するものも含む。
【０００３】
また、従来、リモコンに設けた特定のスイッチをオンすると、毎日同じ設定時刻に脱衣所暖房器の暖房運転が開始されるようにしたもの(例えば、特許文献１参照)や、給湯器用のリモコンに暖房連動スイッチを設け、このスイッチをオンしたときに、浴槽への湯張りに連動して脱衣所暖房器の暖房運転を行わせるようにしたもの(例えば、特許文献２参照)が知られている。
【０００４】
これら従来例は、入浴前に予め脱衣所を暖めておくことを目的とするものであり、入浴後に浴室から出たときの脱衣所の暖房については考慮していない。ここで、浴室に入る前に脱衣所暖房器の暖房運転を停止して入浴した場合、浴室から出たときに脱衣所暖房器用のリモコンの暖房スイッチをオンしても、脱衣所が設定温度に暖められるまでには時間がかかり、ユーザに寒い思いをさせてしまう。また、浴室から出たときを考えて、脱衣所暖房器の暖房運転を停止せずに入浴すると、脱衣所が入浴中無駄に暖房されることになり、省エネルギー化の要請に反することになる。
【特許文献１】特開２００４−１３２５９０号公報
【特許文献２】特開２００２−１３０７１５号公報
【発明の開示】
【発明が解決しようとする課題】
【０００５】
本発明は、以上の点に鑑み、入浴中の無駄な暖房を抑制して、且つ、浴室から出たときに人に寒い思いをさせることを防止できるようにした脱衣所暖房器の制御装置を提供することをその課題としている。
【課題を解決するための手段】
【０００６】
上記課題を解決するために、本発明は、浴室に隣接する脱衣所に温風を送風して脱衣所の暖房を行う脱衣所暖房器の制御装置であって、脱衣所暖房器用のリモコンに設けた暖房スイッチがオンされたときに、脱衣所の室温を設定温度に上昇させて維持する温調暖房運転を行うように脱衣所暖房器を制御するものにおいて、浴室に人が入ったか否かを判別する判別手段と、判別手段により浴室に人が入ったと判別された時点から所定の設定時間が経過するまでは、暖房スイッチがオンされていても脱衣所暖房器の運転を停止させ又は脱衣所を設定温度より低い温度で暖房する脱衣所暖房器の弱暖房運転を行わせ、前記設定時間が経過したときに、脱衣所暖房器の温調暖房運転を開始させる入浴時制御手段とを備えることを特徴とする。
【０００７】
本発明によれば、上記設定時間を予想入浴時間(浴室に入ってから出るまでの時間)と温調暖房運転の開始から脱衣所の室温が設定温度に上昇するまでにかかる時間との差分の時間に設定しておくことにより、浴室から人が出たときには脱衣所が設定温度に暖められていることになり、人に寒い思いをさせることを防止できる。また、浴室に入ってから設定時間が経過して温調暖房運転が開始されるまでは、暖房運転が停止され又は弱暖房運転が行われるため、入浴中の脱衣所の無駄な暖房が抑制され、省エネルギー化を図ることができる。尚、入浴時間が予想より短く温調暖房運転の開始前に浴室から出る可能性もあり、この場合に人にあまり寒い思いをさせないようにするには、浴室に入ってから設定時間が経過するまで弱暖房運転を行わせることが望ましい。
【０００８】
ところで、入浴時間には人によって大きな違いがあり、上記設定時間を一律に決定することは困難である。この場合、脱衣所暖房器用のリモコンにより入浴時間を設定可能とし、この入浴時間に基づいて上記設定時間が決定されるようにしておけば、入浴時間に個人差があっても、各人が自己の入浴時間をリモコンで設定することにより上記設定時間を適切に決定でき、有利である。
【０００９】
ところで、浴室に人が入ったか否かを判別する判別手段としては種々のものが考えられる。一つは、脱衣所暖房器用のリモコンに判別手段用の操作スイッチを設け、この操作スイッチのオン操作に基づいて浴室に人が入ったと判別するように判別手段を構成することである。ここで、脱衣前に操作スイッチをオンした場合、操作スイッチのオン後或る程度時間が経ってから浴室に人が入ることになる。そのため、判別手段は、操作スイッチがオンされた時点から所定の待ち時間が経過したところで浴室に人が入ったと判別するように構成されていることが望ましい。
【００１０】
また、浴室ドアの開閉動作を検出するドアセンサ又は浴室内の人の存在を検出する人センサ設け、ドアセンサが浴室ドアの開閉動作を検出したとき又は人センサが人の存在を検出したときに浴室に人が入ったと判別するように判別手段を構成しても良い。この場合には、入浴後に浴室から人が出たときにこれを判別できる。即ち、ドアセンサが一旦浴室ドアの開閉動作を検出した後に再び浴室ドアの開閉動作を検出したとき又は人センサが一旦人の存在を検出した後に人の存在を検出しなくなったときは、入浴後に浴室から人が出たと判別できる。
【００１１】
ここで、浴室に人が入ってから上記設定時間が経過する前に浴室から人が出たときには、人に寒い思いをさせる。また、浴室に人が入ってから上記設定時間が経過して温調暖房運転が開始された後で浴室から人が出た場合であっても、脱衣所の室温が設定温度に上昇されるまでは、設定温度に早く昇温させるため、一般的に温風の送風量を多くしたホットダッシュ運転が行われることから、送風量の影響で体感温度が下がる。この場合、ドアセンサが一旦浴室ドアの開閉動作を検出した後に再び浴室ドアの開閉動作を検出したとき又は人センサが一旦人の存在を検出した後に人の存在を検出しなくなったときに、即ち、入浴後に浴室から人が出たと判別されたときに、温風の送風量を低下させた状態で脱衣所暖房器の温調暖房運転を行わせるように入浴時制御手段が構成されていれば、人に寒い思いをさせることを可及的に回避でき、有利である。
【００１２】
尚、上記操作スイッチを用いて浴室への入室を判別する場合は、操作スイッチの操作で人が暖房を要求していることを確認できるが、ドアセンサや人センサを用いて浴室に人が入ったことを判別する場合には暖房の要否を確認できない。従って、このままでは、気温が暖かく脱衣所の暖房を要求していないときにも、浴室への入室から設定時間経過後に脱衣所暖房器の温調暖房運転が行われてしまう。この場合、脱衣所暖房器用のリモコンに設けられている脱衣所暖房器の暖房運転を指示するスイッチ(暖房スイッチや予約スイッチ等)がオンされているときにのみ作動するように入浴時制御手段が構成されていれば、暖房を要求していないときの無駄な暖房を防止できる。
【００１３】
尚、後述する実施形態において、上記判別手段に相当するのは、図３のＳ２，Ｓ３，Ｓ１２，Ｓ１３のステップと、図４のＳ１０５のステップであり、上記入浴時制御手段に相当するのは、図３のＳ５のステップからＳ８のステップを経由してＳ１０のステップに至る処理と、図４のＳ１０６からＳ１１６までのステップにおける処理である。
【発明を実施するための最良の形態】
【００１４】
図１を参照して、１は浴槽１ａが配置された浴室、２は浴室１に隣接する脱衣所であり、浴室１の脱衣所２側の入口に浴室ドア１ｂが設けられている。また、脱衣所２は脱衣所暖房器３により暖房可能になっている。脱衣所暖房器３は、ファン４と加熱器５とを内蔵しており、脱衣所２の室内の空気をファン４で循環させつつ加熱器５により加熱し、温風として脱衣所２内に送風して脱衣所２の暖房を行うように構成されている。尚、加熱器５は、給湯暖房用熱源機(図示せず)からの温水を流す放熱器や電気ヒータで構成される。
【００１５】
脱衣所２の壁面には、脱衣所暖房器３に設けたメインコントローラ６に接続されるリモコン７が取付けられている。リモコン７には、図２に示す如く、７セグメントＬＥＤ等で構成される時刻・温度兼用の表示部７ａと、暖房スイッチ７ｂと、暖房温度スイッチ７ｃと、予約スイッチ７ｄと、入浴スイッチ７ｅと、設定スイッチ７ｆと、アップダウンスイッチ７ｇとが設けられている。暖房スイッチ７ｂをオンすると、脱衣所２の室温を設定温度に上昇させて維持する脱衣所暖房器３の温調暖房運転が行われる。また、暖房スイッチ７ｂのオン中はアップダウンスイッチ７ｇで暖房時間を変更できる。暖房スイッチ７ｂは２度目の押し操作でオフになり、脱衣所暖房器３の運転が停止される。尚、温調暖房運転では、室温が設定温度に上昇するまで温風の風量を多くして昇温を早めるホットダッシュ運転を行う。
【００１６】
暖房温度スイッチ７ｃをオンすると、暖房温度設定状態に移行して、アップダウンスイッチ７ｇで設定温度を変更できるようになる。暖房温度スイッチ７ｃは２度目の押し操作でオフになり、暖房温度設定状態が終了する。予約スイッチ７ｄをオンすると、予約時刻になったときに脱衣所暖房器３の暖房運転を開始する予約モードになると共に、アップダウンスイッチ７ｇで予約時刻を変更できるようになる。予約スイッチ７は２度目の押し操作でオフになり、予約モードが解除される。入浴スイッチ７をオンすると、後記詳述する入浴時制御が行われると共に、アップダウンスイッチ７ｇで入浴時間を変更できるようになる。入浴スイッチ７は２度目の押し操作でオフになり、入浴時制御が解除される。設定スイッチ７ｆは、アップダウンスイッチ７ｇによる設定対象を選択するスイッチであり、設定スイッチ７ｆを押す度に、通常状態(表示部７ａに現在時刻や室温を表示する状態)から暖房時間設定状態、予約時間設定状態、入浴時間設定状態、通常状態に移行する。
【００１７】
次に、メインコントローラ６による脱衣所暖房器３の入浴時制御について図３を参照して説明する。先ず、Ｓ１のステップで暖房スイッチ７ｂがオンされたか否かを判別し、オンされていなければ、Ｓ２のステップで入浴スイッチ７ｅがオンされたか否かを判別する。入浴スイッチ７ｅがオンされたときは、Ｓ３のステップに進み、入浴スイッチ７ｅがオンされた時点から所定の待ち時間(例えば、１分)が経過したか否かを判別する。そして、待ち時間が経過したとき、Ｓ４のステップで暖房時間タイマＴＭ１をスタートさせると共に、Ｓ５のステップで入浴時間タイマＴＭ２をスタートさせる。
【００１８】
一方、暖房スイッチ７ｂがオンされたときは、Ｓ１のステップからＳ９のステップに進んで暖房時間タイマＴＭ１をスタートさせると共に、Ｓ１０のステップで脱衣所暖房器３の温調暖房運転を開始させる。次に、Ｓ１１のステップに進み、暖房スイッチ７ｂがオフという条件と、暖房時間タイマＴＭ１がタイムアップという条件との何れか一方が成立したか否かを判別する。暖房時間タイマＴＭ１は、そのスタート時点からの経過時間がリモコン７で設定される暖房時間に達したときにタイムアップする。上記何れかの条件が成立したときは、Ｓ１４のステップに進んで脱衣所暖房器３の運転を停止させる。そうでないときは、Ｓ１２のステップで入浴スイッチ７ｅがオンされたか否かを判別し、オンされたときは、Ｓ１３のステップに進んで待ち時間が経過したか否かを判別し、待ち時間が経過したときにＳ５のステップに進む。
【００１９】
Ｓ５のステップで入浴時間タイマＴＭ２をスタートさせると、次に、Ｓ６のステップに進み、設定温度より低い温度で脱衣所２を暖房する脱衣所暖房器３の弱暖房運転を開始させる。弱暖房運転では、加熱器５による加熱量及び温風の送風量が減少される。弱暖房運転を開始させると、次に、Ｓ７のステップで暖房時間タイマＴＭ１がタイムアップしたか否かを判別し、タイムアップしたときは、Ｓ１４のステップに進んで脱衣所暖房器３の運転を停止させる。暖房時間タイマＴＭ１がタイムアップしていないときは、Ｓ８のステップで入浴時間タイマＴＭ２がタイムアップしたか否かを判別する。入浴時間タイマＴＭ２は、そのスタート時点からの経過時間がリモコン７で設定される入浴時間から所定時間差し引いた時間に達したときにタイムアップする。尚、この所定時間は、温調暖房運転で脱衣所２の室温が設定温度に上昇するまでにかかる時間に合わせて例えば５分程度に設定される。そして、入浴時間タイマＴＭ２がタイムアップしたときは、Ｓ１０のステップに進んで脱衣所暖房器３の温調暖房運転を行わせる。
【００２０】
上記入浴時制御は、要約すれば、入浴スイッチ７ｅがオンされた時点から待ち時間が経過した時点で浴室１に人が入ったと判断し、この判断時点からの経過時間が入浴時間タイマＴＭ２の設定時間(＝入浴時間−所定時間)に達するまでは弱暖房運転を行わせ、その後に温調暖房運転を行わせる制御である。これによれば、入浴後に浴室１から人が出たときには脱衣所２が設定温度に暖められていることになり、人に寒い思いをさせることを防止できる。また、浴室１に入ってから設定時間が経過して温調暖房運転が開始されるまでは、弱暖房運転が行われるため、入浴中の脱衣所２の無駄な暖房が抑制され、省エネルギー化を図ることができる。
【００２１】
尚、浴室１に入ってから設定時間が経過するまで脱衣所暖房器３の運転を停止することも可能である。但し、入浴時間が予想より短く温調暖房運転の開始前に浴室１から出る可能性もあり、この場合に人にあまり寒い思いをさせないようにし、更に、温調暖房運転時の室温の立上りを早くするには、本実施形態の如く浴室１に人が入ってから設定時間が経過するまで弱暖房運転を行わせることが望ましい。また、入浴スイッチ７ｅがオンされた時点で浴室１に人が入ったと判断して、弱暖房運転に切換えることも可能である。然し、これでは、既に温調暖房運転が行われている状態で脱衣前に入浴スイッチ７ｅをオンすると、脱衣中に弱暖房状態に切換えられて人に寒い思いをさせる虞がある。これに対し、本実施形態では、入浴スイッチ７ｅがオンされた時点から待ち時間が経過した時点で弱暖房運転に切換えられるため、この待ち時間を脱衣に要する時間に合わせて設定しておくことにより、脱衣中に弱暖房運転に切換えられて人に寒い思いをさせることを防止できる。
【００２２】
以上、入浴スイッチ７ｅのオン操作に基づいて浴室１に人が入ったか否かを判別する実施形態について説明したが、図１に仮想線で示す如く浴室ドア１ｂの開閉動作を検出するドアセンサ８を設け、或いは、浴室１内の人の存在を検出する人センサ９を設けて、浴室１に人が入ったか否かを判別することも可能である。この場合、リモコン７の入浴スイッチ７ｅは基本的に不要になるが、入浴時間の設定専用のスイッチとして入浴スイッチ７ｅを残しても良い。
【００２３】
図４はドアセンサ８を設けた場合の制御を示している。この制御では、先ず、Ｓ１０１のステップで暖房スイッチ７ｂがオンされたか否かを判別し、オンされたときにＳ１０２のステップで暖房時間タイマＴＭ１をスタートさせると共に、Ｓ１０３のステップで脱衣所暖房器３の温調暖房運転を開始させる。次に、Ｓ１０４のステップに進み、暖房スイッチ７ｂがオフという条件と、暖房時間タイマＴＭ１がタイムアップという条件との何れか一方が成立したか否かを判別する。上記何れかの条件が成立したときは、Ｓ１１７のステップに進んで脱衣所暖房器３の運転を停止させる。そうでないときは、Ｓ１０５のステップでドアセンサ８が浴室ドア１ｂの開閉動作を検出したか否かを判別し、検出していないときはＳ１０４のステップに戻り、検出したときは、Ｓ１０６のステップで入浴時間タイマＴＭ２をスタートさせると共に、Ｓ１０７のステップで脱衣所暖房器３の弱暖房運転を開始させる。
【００２４】
次に、Ｓ１０８のステップで暖房時間タイマＴＭ１がタイムアップしたか否かを判別し、タイムアップしていなければ、Ｓ１０９のステップでドアセンサ８が浴室ドア１ｂの開閉動作を検出したか否かを判別し、検出していなければ、Ｓ１１０のステップで入浴時間タイマＴＭ２がタイムアップしたか否かを判別する。入浴時間タイマＴＭ２がタイムアップしていなければＳ１０８のステップに戻り、タイムアップしたときは、Ｓ１１４のステップで脱衣所暖房器３の温調暖房運転を開始させる。次に、Ｓ１１５のステップで暖房時間タイマＴＭ１がタイムアップしたか否かを判別し、タイムアップしていなければ、Ｓ１１６のステップでドアセンサ８が浴室ドア１ｂの開閉動作を検出したか否かを判別し、検出していないときはＳ１１５のステップに戻り、検出したときは、Ｓ１１１のステップに進む。また、Ｓ１０９のステップでドアセンサ８が浴室ドア１ｂの開閉動作を検出したと判別されたときにもＳ１１１のステップに進む。
【００２５】
Ｓ１１１のステップでは、温風の送風量を低下させた状態で脱衣所暖房器３の温調暖房運転を開始させる。次に、Ｓ１１２のステップで暖房時間タイマＴＭ１がタイムアップしたか否かを判別し、タイムアップしていなければ、Ｓ１１３のステップで脱衣所２の室温が設定温度に上昇したか否かを判別する。そして、設定温度に上昇するまではＳ１１２のステップに戻り、設定温度に上昇したときに、Ｓ１１４のステップに進んで通常の温調暖房運転を行わせる。尚、脱衣所２の室温が設定温度に上昇したときは、通常の温調暖房運転でも温風の送風量は低く抑えられる。また、Ｓ１０８，Ｓ１１２，Ｓ１１５のステップで暖房時間タイマＴＭ１がタイムアップしたと判別されたときには、Ｓ１１７のステップに進んで脱衣所暖房器３の運転を停止させる。
【００２６】
図４に示す入浴時制御では、浴室１に人が入る際に浴室ドア１ｂを開閉すると、Ｓ１０５のステップにおいて浴室ドア１ｂの開閉に基づき浴室１に人が入ったと判別され、この判別時点から原則的に入浴時間タイマＴＭ２の設定時間(＝入浴時間−所定時間)が経過するまで弱暖房運転が行われ、入浴中の脱衣所２の無駄な暖房が抑制される。また、入浴時間タイマＴＭ２の設定時間が経過すると温調暖房運転が行われるため、入浴後に浴室１から人が出たときには脱衣所２が設定温度に暖められていることになり、人に寒い思いをさせることを防止できる。
【００２７】
ここで、浴室１に人が入ってから入浴時間タイマＴＭ２の設定時間が経過する前の弱暖房運転中に浴室１から人が出たときには、人に寒い思いをさせることになる。更に、浴室１に人が入ってから設定時間が経過して温調暖房運転が開始された後で浴室１から人が出た場合であっても、脱衣所２の室温が設定温度に上昇されるまでは、温風の送風量を多くしたホットダッシュ運転が行われることから、送風量の影響で体感温度が下がる。然し、図４の制御では、浴室１から人が出る際に浴室ドア１ｂを開閉すると、これがＳ１０９，Ｓ１１６のステップで判別されて、温風の送風量を低くした状態で温調暖房運転が行われるため、人に寒い思いをさせることを可及的に回避できる。
【００２８】
ドアセンサ８に代えて人センサ９を用いる場合にも図４と同様の制御を行えば良い。この場合、Ｓ１０５のステップで人センサ９が人の存在を検出したか否かを判別し、Ｓ１０９，Ｓ１１６のステップで人センサ９が人の存在を検出しなくなったか否かを判別する。
【００２９】
尚、図４の制御では、暖房スイッチ７ｂがオンされないとドアセンサ８や人センサ９に基づく入浴時制御は実行されない。そのため、気温が高く脱衣所２の暖房を要求していないときに、ドアセンサ８や人センサ９に連動して脱衣所２の暖房が行われることを防止できる。ここで、リモコン７には、脱衣所暖房器３の暖房運転を指示するスイッチとして、暖房スイッチ７ｂの外に予約スイッチ７ｄが設けられており、予約スイッチ７ｄがオンされているときにも、入浴時制御が実行されるようにすることが望ましい。また、リモコン７に入浴時間の設定のために入浴スイッチ７ｅが設けられている場合、入浴スイッチ７ｅをオンして入浴時間の設定を行うのは暖房を希望する場合であるから、入浴スイッチ７ｅがオンされたときにも、ドアセンサ８や人センサ９に基づく入浴時制御が実行されるようにすることが望ましい。
【図面の簡単な説明】
【００３０】
【図１】本発明の実施形態の制御装置で制御される脱衣所暖房器を備える脱衣所と浴室のレイアウトを示す説明図。
【図２】実施形態の脱衣所用リモコンを示す正面図。
【図３】実施形態の脱衣所暖房器の制御を示すフロー図。
【図４】別の実施形態の制御を示すフロー図。
【符号の説明】
【００３１】
１…浴室、１ｂ…浴室ドア、２…脱衣所、３…脱衣所暖房器、６…メインコントローラ、７…リモコン、７ｂ…暖房スイッチ(暖房運転を指示するスイッチ)、７ｄ…予約スイッチ(暖房運転を指示するスイッチ)、７ｅ…入浴スイッチ(判別手段用の操作スイッチ)、８…ドアセンサ、９…人センサ。
【図１】
2006234224.tif 000003
【図２】
2006234224.tif 000004
【図３】
2006234224.tif 000005
【図４】
2006234224.tif 000006